(57)【要約】【課題】大きさの異なるタイルを組み合わせたタイルユニットの寸法調整を容易に行うことができるようにすることを目的とする。【解決手段】タイルユニット１は、小形のタイル２と、中形のタイル３と、大形のタイル４との３種類の大きさのタイルを整列配置し、連結して一体化したものである。タイルユニット１の端辺に沿ってはタイル２のみが配置され、同幅タイル配置領域が４辺にわたって配置されている。縦方向の目地１１〜１４のいずれか１又は２条に罫書き線を入れ、この罫書き線に沿ってタイルユニット１を割断することにより、タイルユニット１の幅をタイル２の１枚分、２枚分，３枚分又は４枚分だけ小さくすることができる。【選択図】図１
2010065469.tif 000002
【特許請求の範囲】
【請求項１】
複数枚の方形のタイルが連結された方形のタイルユニットにおいて、
該タイルユニットの少なくとも１辺に沿う辺縁領域は、該辺と直交方向の幅が同一の同幅タイルが配置された同幅タイル配置領域となっており、
該同幅タイル配置領域以外の領域の少なくとも一部には、該同幅タイルと大きさの異なるタイルが配置されていることを特徴とするタイルユニット。
【請求項２】
請求項１において、前記同幅タイルの前記幅が１０〜２５ｍｍであることを特徴とするタイルユニット。
【請求項３】
請求項１又は２において、前記同幅タイル配置領域にあっては、タイルユニットの辺に沿うタイルと、それに隣接するタイルとの少なくとも２列のタイルが前記同幅タイルであることを特徴とするタイルユニット。
【請求項４】
請求項１ないし３のいずれか１項において、タイルユニットの第１の辺と、該第１の辺に隣接する第２の辺との少なくとも２辺に沿う領域が同幅タイル配置領域となっていることを特徴とするタイルユニット。
【請求項５】
請求項１ないし４のいずれか１項において、タイル同士の間の目地部に目地材が詰められていることを特徴とするタイルユニット。
【請求項６】
請求項１ないし５のいずれか１項に記載のタイルユニットの寸法を調整する方法であって、前記同幅タイル配置領域の目地部でタイルユニットを一直線状に分断することを特徴とするタイルユニットの寸法調整方法。
【請求項７】
請求項５に記載のタイルユニットの寸法を調整する方法であって、前記同幅タイル配置領域の目地に一直線状に罫書き線を入れ、この罫書き線に沿ってタイルユニットを割断してタイルユニットの寸法調整を行うことを特徴とするタイルユニットの寸法調整方法。
【発明の詳細な説明】
【技術分野】
【０００１】
本発明は、複数枚のタイルを連結したタイルユニットに係り、特に大きさの異なるタイルを組み合わせたタイルユニットに関する。また、本発明は、このタイルユニットの寸法調整方法に関する。
【背景技術】
【０００２】
Ｉ．複数枚のタイルを連結したタイルユニットによれば、タイルを１枚ずつ施工する場合に比べて施工効率が向上する。このようなタイルユニットとしては、複数枚のタイル同士の裏面にネットを接着して一体化したもの（特許文献１）、複数枚のタイル同士の裏面にセメントモルタル含浸不織布を貼着して一体化したもの（特許文献２）、複数のタイル同士を砂等の骨材含有合成樹脂で連結して一体化したもの（特許文献３）など各種のものが知られている。
【０００３】
II．従来より広く用いられているタイルユニットは、同一寸法のタイル同士を連結したものであるが、近年、タイル壁の意匠性を多様化するために、大きさの異なるタイルを組み合わせて一体化したタイルユニットも用いられるようになってきている。
【特許文献１】特開２００５−２７３３２０
【特許文献２】特開平６−２４８７８１
【特許文献３】特開平１１−２４７４００
【発明の開示】
【発明が解決しようとする課題】
【０００４】
従来、タイル施工現場でタイルやタイルユニットの寸法調整を行う場合、ダイヤモンドカッターでタイルを切断するようにしており、作業に手間がかかると共に、騒音や粉塵が生じたりする。
【０００５】
本発明は、大きさの異なるタイルを組み合わせたタイルユニットの寸法調整を容易に行うことができるようにすることを目的とする。
【課題を解決するための手段】
【０００６】
本発明（請求項１）のタイルユニットは、複数枚の方形のタイルが連結された方形のタイルユニットにおいて、該タイルユニットの少なくとも１辺に沿う辺縁領域は、該辺と直交方向の幅が同一の同幅タイルが配置された同幅タイル配置領域となっており、該同幅タイル配置領域以外の領域の少なくとも一部には、該同幅タイルと大きさの異なるタイルが配置されていることを特徴とするものである。
【０００７】
請求項２のタイルユニットは、請求項１において、前記同幅タイルの前記幅が１０〜２５ｍｍであることを特徴とするものである。
【０００８】
請求項３のタイルユニットは、請求項１又は２において、前記同幅タイル配置領域にあっては、タイルユニットの辺に沿うタイルと、それに隣接するタイルとの少なくとも２列のタイルが前記同幅タイルであることを特徴とするものである。
【０００９】
請求項４のタイルユニットは、請求項１ないし３のいずれか１項において、タイルユニットの第１の辺と、該第１の辺に隣接する第２の辺との少なくとも２辺に沿う領域が同幅タイル配置領域となっていることを特徴とするものである。
【００１０】
請求項５のタイルユニットは、請求項１ないし４のいずれか１項において、タイル同士の間の目地部に目地材が詰められていることを特徴とするものである。
【００１１】
請求項６のタイルユニットの寸法調整方法は、請求項１ないし５のいずれか１項に記載のタイルユニットの寸法を調整する方法であって、前記同幅タイル配置領域の目地部でタイルユニットを一直線状に分断することを特徴とするものである。
【００１２】
請求項７のタイルユニットの寸法調整方法は、請求項５に記載のタイルユニットの寸法を調整する方法であって、前記同幅タイル配置領域の目地に一直線状に罫書き線を入れ、この罫書き線に沿ってタイルユニットを割断してタイルユニットの寸法調整を行うことを特徴とするものである。
本発明のタイルユニットの寸法調整方法は、請求項５に記載のタイルユニットの寸法を調整する方法に際し、前記同幅タイル配置領域の目地に一直線状に溝状の割断予定線を入れ、この割断予定線に沿ってタイルユニットを割断してタイルユニットの寸法調整を行うようにしてもよい。
【発明の効果】
【００１３】
本発明のタイルユニットは、大きさの異なるタイルを組み合わせたものであり、施工した壁面の意匠性が多様化する。
【００１４】
このタイルユニットの少なくとも一辺に沿って、該辺と直交方向の幅が同一の同幅タイルを配置した同幅タイル配置領域が設けられているので、タイルユニットの寸法調整（幅を小さくすること）を行う場合、この同幅タイル配置領域の目地部でタイルユニットを一直線状に分断することができる。このため、陶磁器質のタイルを切断することなく、タイルユニットの寸法調整を容易に行うことができる。
【００１５】
この同幅タイル配置領域におけるタイルの辺と直交方向の幅を１０〜２５ｍｍとした場合、タイルユニットの寸法をきめ細かく調整することができる。タイルユニットに２列以上に同幅タイルを設けることにより、タイルユニットの寸法調整を同幅タイルの幅のピッチで行うことができる。
【００１６】
タイルユニットの少なくとも隣接２辺に沿って同幅タイル配置領域を設けることにより、タイルユニットの横幅と縦幅の双方を調整することができる。
【００１７】
タイルユニットの目地部に目地材が詰められているときには、この目地材に一直線状に溝状の割断予定線を入れ、この割断予定線に沿って割断することにより、寸法調整を容易に行うことができる。この割断にはダイヤモンドカッターは不要である。
【発明を実施するための最良の形態】
【００１８】
以下、図面を参照して実施の形態について説明する。第１図は実施の形態に係るタイルユニットの正面図、第２図〜第４図はこのタイルユニットの寸法調整後の正面図である。
【００１９】
このタイルユニット１は、小形のタイル２と、中形のタイル３と、大形のタイル４との３種類の大きさのタイルを整列配置し、連結して一体化したものである。タイル２〜４はいずれも陶磁器、ガラス等のセラミックス製であるが、石材製であってもよい。
【００２０】
タイル２〜４同士を連結して一体化するには、少なくともタイル２〜４の側端面同士の間に接着材料を充填してタイル同士を連結すると共に、この接着材料によって併せて目地を形成するのが好適である。接着材料はタイル２〜４の裏面にも付着されてもよい。
【００２１】
タイルユニットは、ネットや不織布、紙などをタイルの裏面に付着させ、目地に目地材を詰めるようにしたものであってもよい。
【００２２】
タイル２〜４はいずれも方形であり、タイル３の一辺の長さはタイル２の一辺の長さの２倍であり、タイル４の一辺の長さはタイル２の一辺の長さの３倍である。
【００２３】
タイル２の一辺の長さは５〜６００ｍｍ特に１０〜２５ｍｍであることが好ましい。
【００２４】
この実施の形態では、タイルユニット１の第１図における右辺、左辺及び下辺に沿ってタイル２が２列ずつ配置され、上辺に沿ってタイル２が１列のみ配置されている。これにより、タイルユニット１の４辺に沿って同幅タイル配置領域が配置されている。タイルユニット１の右辺から１番目及び２番目の目地１１，１２と、左辺から１番目及び２番目の目地１４，１３はいずれも縦方向にタイルユニット１の図の上端から下端まで一直線状に延在している。
【００２５】
タイルユニット１の上辺から１番目の目地２１と下辺から１番目及び２番目の目地２３，２２は、横方向に図の左端から右端まで一直線状に延在している。
【００２６】
このタイルユニット１の寸法調整を行うに際し、図の左右方向の幅を小さくする場合は、縦方向の目地１１〜１４のいずれか１又は２条に罫書き線又は溝状の割断予定線を入れ、この罫書き線又は割断予定線に沿ってタイルユニット１を割断する。目地に割断予定線を入れるには、タイル用切断刃、手ノコ（例えば、塩化ビニルパイプ用のノコギリ）、カッター、丸ノコ等の刃物によって直線状の切込溝を設けるのが好ましい。この切込溝の深さは０．５〜１１ｍｍ特に０．５〜２ｍｍ程度が好ましい。
【００２７】
タイルユニット１の図の上下方向の寸法を調整する場合には、横方向の目地２１，２２，２３の１又は２条に罫書き線又は溝状の割断予定線を入れて、この割断予定線に沿ってタイルユニット１を割断する。
【００２８】
この割断に際してはダイヤモンドカッター等による切断と異なり、大きな騒音や塵などは発生しない。なお、タイルユニットの寸法を調整するには、罫書き線又は溝状の割断予定線を入れて割断する方法以外に、罫書き線や溝状の割断予定線を入れることなく、タイル用切断刃、手ノコ（例えば、塩化ビニルパイプ用のノコギリ）、カッター、丸ノコ等の刃物によって、目地に沿って、タイルユニットを切断してもよい。
【００２９】
第２図は、縦方向の目地１２に沿ってタイルユニット１を割断し、タイルユニット１の左右幅を小形タイル２の２枚分だけ小さくしたタイルユニット１Ａの正面図である。
【００３０】
第３図は、横方向の目地２２に沿ってタイルユニット１を割断し、タイルユニット１の上下幅を小形タイル２の２枚分だけ小さくしたタイルユニット１Ｂの正面図である。
【００３１】
第４図は、縦方向の目地１２及び横方向の目地２２に沿ってタイルユニット１を割断し、タイルユニット１の左右幅及び上下幅を小形タイル２の２枚分だけそれぞれ小さくしたタイルユニット１Ｃの正面図である。
【００３２】
図示は省略するが、縦方向の目地１１又は１４に沿ってタイルユニット１を割断すれば、タイルユニット１の左右幅をタイル２の１枚分だけ小さくすることができる。２条の目地１１と１３、又は目地１２と１４に沿ってタイルユニット１を割断すれば、タイル２の３枚分だけタイルユニット１の左右幅を小さくすることができる。２条の目地１２，１３に沿ってタイルユニット１を割断すれば、タイル２の４枚分だけタイルユニット１の左右幅を小さくすることができる。
【００３３】
横方向の目地についても、１条の目地２１又は２３に沿ってタイルユニット１を割断すれば、タイルユニット１の上下幅をタイル２の１枚分だけ小さくすることができ。２条の目地２１，２２に沿ってタイルユニット１を割断すればタイルユニットの上下幅をタイル２の３枚分だけ小さくすることができる。
【００３４】
従って、タイル２の１辺を１０〜２５ｍｍと小さくすれば、タイルユニットの左右幅又は上下幅を小刻みに調整することができる。
【００３５】
上記実施の形態では、１つの同幅タイル配置領域を構成するタイル２の列は、１又は２であるが、３以上であってもよい。
【００３６】
上記実施の形態では３種類のタイル２〜４を用いてタイルユニット１を構成しているが、２種類又は４種類以上の大きさのタイルを用いてもよい。
【００３７】
上記実施の形態では、タイルユニット１の辺に沿うタイル２は正方形状であるが、長方形状であってもよい。当然ながら、この場合、長方形の各タイルの向きを辺に対して揃えて配列する。
【００３８】
上記実施の形態では、タイルユニット１の４辺それぞれに同幅タイル配置領域を設けているが、１辺のみ、隣接する２辺のみ、又は３辺に設けてもよい。ただし、タイルユニットの左右幅及び上下幅の双方を調整することができるようにするために少なくとも隣接する２辺に同幅タイル配置領域を配置するのが好ましい。
【図面の簡単な説明】
【００３９】
【図１】実施の形態に係るタイルユニットの正面図である。
【図２】寸法調整されたタイルユニットの正面図である。
【図３】寸法調整されたタイルユニットの正面図である。
【図４】寸法調整されたタイルユニットの正面図である。
【符号の説明】
【００４０】
１  タイルユニット
１Ａ，１Ｂ，１Ｃ  寸法調整されたタイルユニット
２，３，４  タイル
１１，１２，１３，１４，２１，２２，２３  一直線状の目地
【図１】
2010065469.tif 000003
【図２】
2010065469.tif 000004
【図３】
2010065469.tif 000005
【図４】
2010065469.tif 000006